(57)【特許請求の範囲】
【請求項１】
底面板の左端縁に、左側面板、該左側面板よりも幅広の左内面板および左貼着片が順に折り目を介して連設されているとともに、底面板の右端縁に、右側面板、該右側面板よりも幅広の右内面板および右貼着片が順に折り目を介して連設されており、
前記左側面板および前記右側面板は、それぞれ前記底面板に対して前記折り目から直交して上向きに立てられて平行に対向配置されており、
前記左内面板および前記右内面板が、それぞれ前記左側面板および前記右側面板に対して前記折り目に沿って谷折りされることで内向きに突出された状態になるように、前記左貼着片および右貼着片がそれぞれ前記左側面板および前記右側面板の前記各底面板寄りの位置に貼着され、
前記左内面板および前記右内面板の前記各内向き突出部分には、それぞれ収容対象となる容器の外径に対応する複数個の容器支持穴が設けられており、前記底面板において前記左右の側面板との間の折り目の近傍には、コ字状切り込みが前記底面板の長手方向に所定の間隔をおいて設けられており、前記左貼着片の左端縁および前記右貼着片の右端縁において前記各コ字状切り込みに対応する領域には、外向きに突出する突片が形成されており、前記各コ字状切り込みは、前記左側面板および前記右側面板がそれぞれ前記底面板に対して前記折り目に沿って谷折りされることによって平行に対向配置された際に、切り抜かれることになって下向きの支持片および切り抜き孔を作るものとされており、前記各突片は、前記左貼着片および前記右貼着片がそれぞれ前記左側面板および前記右側面板の前記各底面板寄りの位置に貼着された際に、前記各切り抜き孔内に差し入れられるとともに前記各支持片に重ね合わされて接着されている、ことを特徴とする容器ホルダー。
【請求項２】
請求項１に記載の容器ホルダーにおいて、
前記各内向き突出部分は、く字状に折り曲げられており、それらの最突出端（頂点）位置が異なる高さに設定されている、ことを特徴とする容器ホルダー。
【請求項３】
請求項１に記載の容器ホルダーにおいて、
前記各内向き突出部分は、部分円弧状に湾曲されており、それらの最突出端（頂点）位置が同じ高さに設定されている、ことを特徴とする容器ホルダー。
【請求項４】
請求項１から３のいずれか１項に記載の容器ホルダーにおいて、
前記底面板の上下端縁にそれぞれ糊代板が折り目を介して連設されるとともに、左右の側面板の上下端縁にそれぞれ折り込み片が折り目を介して連設されている、ことを特徴とする容器ホルダー。
【発明の詳細な説明】
【技術分野】
【０００１】
本発明は、例えばバイアルびんなどの容器を収容保持する容器ホルダーに関する。
【背景技術】
【０００２】
例えば特許文献１に示す容器ホルダーは、底面板の長手方向中央部に仕切り板を備えるとともに、左右の側面板の内面に「く字状」に折曲された左右の内面板を備えて構成されており、前記左右の内面板には、容器の直径に対応する複数個の楕円状の容器支持穴が形成されている。
【０００３】
そして、容器を前記仕切り板に沿いつつ、前記内面板に形成された各容器支持穴にそれぞれ落とし込むことにより、前記容器の外周面の略左半部および略右半部が前記内面板の容器支持穴の周縁部によって保持されるようになっている。この容器ホルダーに設定個数の容器が保持された後、この容器ホルダーが輸送容器に収容されて適宜輸送される
上記特許文献１に示す容器ホルダーでは、「く字状」に折曲された左内面板の容器支持穴の周縁部によって容器の外周面の略左半部を保持して、「く字状」に折曲された右内面板の容器支持穴の周縁部によって容器の外周面の略右半部を保持するようになっており、当該容器が前記容器支持穴と対向する側の仕切り板に線接触するようになっている。
【０００４】
このため、容器ホルダーの前後方向に意図しない外力が作用した場合、容器は、内面板の容器支持穴の周縁部を支点として前後方向に回動し、横倒れすることがある。
【０００５】
また、容器ホルダーを誤って落下させたときに当該落下に伴う衝撃を容器ホルダーの底面板が吸収することができないので、仮に前記容器の底壁を可及的に薄くしている場合には、当該底壁が損傷し易くなるおそれがある。
【０００６】
また、特許文献２に示す容器ホルダーは、底面板の左右の側面板の内面に「く字状」に折曲された左右の内面板を備えて構成されており、前記左右の内面板には、容器の直径に対応する複数個の容器支持穴が形成されている。
【０００７】
そして、前記左右の内面板においてく字状の折曲部分の各頂点の高さ位置を異ならせているので、容器が収容された状態では、当該容器の略左半部および略右半部がそれぞれ異なる高さ位置で保持されることになって、容器が前後方向に横倒れすることが防止されるようになる。
【０００８】
また、前記底面板の長手方向複数ヶ所に支持片が設けられており、この支持片によって前記底面板を床面から離隔した位置に支持されるようになる。この支持片は、左右の側面板を折り目に沿って谷折りした際、前記底面板に形成されたコ字状切り込みが、前記左右の側面板とともに垂設されることによって作られるものである。この支持片を備える場合、容器ホルダーが落下したときに、前記支持片が床面に接地して衝撃を一部吸収するようになる。
【先行技術文献】
【特許文献】
【０００９】
【特許文献１】実公昭５７−４９７１０号公報
【特許文献２】特開２００２−５３１２４号公報
【発明の概要】
【発明が解決しようとする課題】
【００１０】
上記特許文献２の容器ホルダーは、収容する容器の横倒れを防止することができるとともに、落下時の衝撃を一部吸収することができるので、上記特許文献１に比べて優位である。本願発明者は、鋭意研究してさらに改良の余地を見出した。
【００１１】
このような事情に鑑み、本発明は、容器ホルダーの底面板が床面上に浮上支持されたときの姿勢を安定化するとともに、当該姿勢において容器ホルダーが上から押さえつけられたときに支持脚部の破損を抑制することを目的としている。
【課題を解決するための手段】
【００１２】
本発明に係る容器ホルダーは、底面板の左端縁に、左側面板、該左側面板よりも幅広の左内面板および左貼着片が順に折り目を介して連設されているとともに、底面板の右端縁に、右側面板、該右側面板よりも幅広の右内面板および右貼着片が順に折り目を介して連設されており、前記左側面板および前記右側面板は、それぞれ前記底面板に対して前記折り目から直交して上向きに立てられて平行に対向配置されており、前記左内面板および前記右内面板が、それぞれ前記左側面板および前記右側面板に対して前記折り目に沿って谷折りされることで内向きに突出された状態になるように、前記左貼着片および右貼着片がそれぞれ前記左側面板および前記右側面板の前記各底面板寄りの位置に貼着され、前記左内面板および前記右内面板の前記各内向き突出部分には、それぞれ収容対象となる容器の外径に対応する複数個の容器支持穴が設けられており、前記底面板において前記左右の側面板との間の折り目の近傍には、コ字状切り込みが前記底面板の長手方向に所定の間隔をおいて設けられており、前記左貼着片の左端縁および前記右貼着片の右端縁において前記各コ字状切り込みに対応する領域には、外向きに突出する突片が形成されており、前記各コ字状切り込みは、前記左側面板および前記右側面板がそれぞれ前記底面板に対して前記折り目に沿って谷折りされることによって平行に対向配置された際に、切り抜かれることになって下向きの支持片および切り抜き孔を作るものとされており、前記各突片は、前記左貼着片および前記右貼着片がそれぞれ前記左側面板および前記右側面板の前記各底面板寄りの位置に貼着された際に、前記各切り抜き孔内に差し入れられるとともに前記各支持片に重ね合わされて接着されている、ことを特徴としている。
【００１３】
この構成では、前記左内面板の前記内向き突出部分に設けられた複数個の容器支持穴と前記右内面板の前記内向き突出部分に設けられた複数個の容器支持穴との間に容器を収容配置させたときに、当該容器の外周面の略左半部および略右半部がそれぞれ前記容器支持穴の周縁部によって保持されることになる。
【００１４】
そして、前記底面板のコ字状切り込みから切り抜かれてなる支持片と前記左右の貼着片のコ字状の突片とを重ね合わせて接着することにより容器ホルダーを床面上に浮上支持するための支持脚部を構成しているから、当該支持脚部の強度が上記特許文献２のそれに比べて向上するようになる。
【００１５】
これにより、本発明に係る容器ホルダーは、その底面板が床面上に浮上支持されたときに姿勢が安定するようになる他、仮に、前記したように床面上に置いた容器ホルダーが上から押さえつけられたときに、当該容器ホルダーの支持脚部が破損しにくくなる。
【００１６】
ところで、上記容器ホルダーにおいて、前記各内向き突出部分は、く字状に折り曲げられて、それらの最突出端（頂点）位置が異なる高さに設定された、構成にすることができる。
【００１７】
この場合、容器の外周面の略左半部が前記左内面板の容器支持穴の周縁部によって保持されるようになるとともに、前記容器の外周面の略右半部が前記右内面板の容器支持穴の周縁部によって保持されるようになることに加えて、前記容器の外周面に対して左内面板の内向き突出部分の最突出端（頂点）が接触する位置と右内面板の内向き突出部分の最突出端（頂点）が接触する位置とが上下方向に離れるようになるために、輸送時などにおいて、容器ホルダーの前後方向に意図しない外力が作用した場合に、前記容器が前後方向に回動して横倒れすることが防止されるようになる。
【００１８】
また、前記各内向き突出部分は、部分円弧状に湾曲されて、それらの最突出端（頂点）位置が同じ高さに設定された、構成にすることができる。
【００１９】
この場合、容器の外周面の略左半部が前記左内面板の容器支持穴の周縁部によって保持されるようになるとともに、前記容器の外周面の略右半部が前記右内面板の容器支持穴の周縁部によって保持されるようになる。さらに、容器ホルダーに容器を収容したときに、前記各容器支持穴の周縁部に対する容器の接触長さが上記特許文献２のそれに比べて可及的に長くなる。これらのことから、容器ホルダーによる容器の保持力が上記特許文献２のそれに比べて向上することになるので、輸送時などにおいて、容器ホルダーの前後方向に意図しない外力が作用した場合でも、前記容器が前後方向に回動して横倒れすることが防止されるようになる。
【００２０】
また、上記容器ホルダーにおいて、前記底面板の上下端縁にそれぞれ糊代板が折り目を介して連設されているとともに、左右の側面板の上下端縁にそれぞれ折り込み片が折り目を介して連設されている、構成とすることができる。
【００２１】
この場合、前記左右の折り込み片にそれぞれ前記糊代板を貼着して容器ホルダーを組み立てた際、容器ホルダーは、箱状に一体化される。このため、前記左右の側面板を前記底面板に対して垂直に保持する必要がなく、組み立てた容器ホルダーを輸送容器に収容する場合、作業を簡単に行うことができる。
【発明の効果】
【００２２】
本発明に係る容器ホルダーは、その底面板が床面上に浮上支持されたときの姿勢を安定化するとともに、当該姿勢において容器ホルダーが上から押さえつけられたときに支持脚部の破損を抑制できるようになる。
【図面の簡単な説明】
【００２３】
【図１】本発明に係る容器ホルダーの一実施形態で、その全体の外観を示す斜視図である。
【図２】図１の容器ホルダーの展開図である。
【図３】図２において底面板に対して右側面板を直交姿勢に折り曲げた状態を示す平面図である。
【図４】図３の状態においてコ字状切り込みから切り抜かれて作られる支持片および切り抜き孔を拡大して示す斜視図である。
【図５】図１の容器ホルダーの縦断面図であって、図２の（５）−（５）線に沿って断面にした位置に対応する図である。
【図６】図１の容器ホルダーを輸送容器に収容する工程を示す説明図である。
【図７】本発明に係る容器ホルダーの他の実施形態で、その全体の外観を示す斜視図である。
【図８】図７の容器ホルダーの展開図である。
【図９】図８において底面板に対して右側面板を直交姿勢に折り曲げた状態を示す平面図である。
【図１０】図９の状態においてコ字状切り込みから切り抜かれて作られる支持片および切り抜き孔を拡大して示す斜視図である。
【図１１】図７の容器ホルダーの縦断面図であって、図８の（１１）−（１１）線に沿って断面にした位置に対応する図である。
【発明を実施するための形態】
【００２４】
以下、本発明を実施するための最良の実施形態について添付図面を参照して詳細に説明する。
【００２５】
図１から図６に、本発明の一実施形態を示している。図中、１は容器ホルダーの全体を示している。
【００２６】
この容器ホルダー１は、バイアルびんなどの容器Ｂ（図５、図６参照）を保持するものであり、コートボールを図２に示す展開図にしたがって打ち抜いた後、折り目に沿って折り込むとともに、所定部分を貼着して組み立てられる。
【００２７】
そして、容器ホルダー１に設定個数の容器Ｂを収納した後、２個の容器ホルダー１を一組として別途組み立てられた輸送容器１０（図６参照）に収容されて輸送される。
【００２８】
この容器ホルダー１は、図２の展開図において、上下端縁にそれぞれ折り目ｄを介して糊代板６が連設された底面板２の左端縁に左側面板３Ｌ、該左側面板３Ｌよりも幅広の左内面板４Ｌおよび左貼着片５Ｌが順に折り目ａ，ｂ，ｃを介して連設され、また、底面板２の右端縁に右側面板３Ｒ、該右側面板３Ｒよりも幅広の右内面板４Ｒおよび右貼着片５Ｒが順に折り目ａ，ｂ，ｃを介して連設され、さらに、左右の側面板３Ｌ，３Ｒの上下端縁にそれぞれ折り込み片７が折り目ｅを介して連設されて構成されている。
【００２９】
これらの左側面板３Ｌ、左内面板４Ｌおよび左貼着片５Ｌと、右側面板３Ｒ、右内面板４Ｒおよび右貼着片５Ｒとは、底面板２に関して左右対称に形成されている。
【００３０】
そして、左内面板４Ｌには、左貼着片５Ｌとの折り目ｃ寄りに中間折り目ｆが形成されているとともに、この中間折り目ｆを挟んで複数個の容器支持穴４Ｌａが形成されている。同様に、右内面板４Ｒにも、右側面板３Ｒとの折り目ｂ寄りに中間折り目ｇが形成されているとともに、この中間折り目ｇを挟んで複数個の容器支持穴４Ｒａが形成されている。
【００３１】
左右の容器支持穴４Ｌａ，４Ｒａは、収容する容器Ｂをそれぞれ中心線に対して設定角度で切断した際に形成される楕円に対応するものであって、全体として略卵形状に形成されている。
【００３２】
詳しくは、略卵形状の左右の容器支持穴４Ｌａ，４Ｒａの短軸が前記中間折り目ｆ，ｇに沿うように位置されていて、左側の容器支持穴４Ｌａにおいて中間折り目ｆよりも左側面板３Ｌ寄りの領域の曲率が左貼着片５Ｌ寄りの領域の曲率に比べて大きく設定されている一方、右側の容器支持穴４Ｒａにおいて中間折り目ｇよりも右貼着片５Ｒ寄りの領域の曲率が右側面板３Ｒ寄りの領域の曲率に比べて大きく設定されている。
【００３３】
底面板２において左右の側面板３Ｌ，３Ｒとの間の折り目ａ，ａの近傍には、コ字状切り込みｈが底面板２の長手方向に所定の間隔をおいて設けられている。
【００３４】
この左右のコ字状切り込みｈは、底面板２の左右対称に形成されている。そして、各コ字状切り込みｈの上端縁および下端縁が底面板２と左右の側面板３Ｌ，３Ｒとの間の折り目ａ，ａ上に位置するように設定されており、各コ字状切り込みｈの中間の長尺直線部分が底面板２内に入り込んだ位置に配置されて折り目ａ，ａと平行になるように設定されている。
【００３５】
左貼着片５Ｌの左端（自由端）縁側の長辺における長手方向の数ヶ所（コ字状切り込みｈと同数で対応する領域）には、コ字状の突片５１が設けられている。同様に、右貼着片５Ｒの右端（自由端）縁側の長辺における長手方向の数ヶ所（コ字状切り込みｈと同数で対応する領域）には、コ字状の突片５１が設けられている。これらの突片５１は、コ字状切り込みｈと同一形状とされている。
【００３６】
次に、このように構成された容器ホルダー１の組み立て手順を説明する。
【００３７】
まず、図２の展開図にしたがってコートボールを打ち抜いた後、図３に示すように、底面板２を基準に底面板２に対して左側面板３Ｌを折り目ａに沿って谷折りしてから、さらに左側面板３Ｌに対して左内面板４Ｌを折り目ｂに沿って谷折りする。また、左内面板４Ｌに対して左貼着片５Ｌを山折りする。次いで、左貼着片５Ｌの内面に接着剤を塗布し、当該左貼着片５Ｌをその左端縁が底面板２と左側面板３Ｌとの折り目ａに沿わせるように、左側面板３Ｌの内面に貼着する。このとき、図１および図５に示すように、左内面板４Ｌを中間折り目ｆからく字状に折り曲げるようにする。
【００３８】
それと同様に、底面板２に対して右側面板３Ｒを折り目ａに沿って谷折りするとともに、右側面板３Ｒに対して右内面板４Ｒを折り目ｂに沿って谷折りする。また、右内面板４Ｒに対して右貼着片５Ｒを山折りする。次いで、右貼着片５Ｒの内面に接着剤を塗布し、当該右貼着片５Ｒをその右端縁が底面板２と右側面板３Ｒとの折り目ａに沿わせるように、右側面板３Ｒの内面に貼着する。このとき、図１および図５に示すように、右内面板４Ｒを中間折り目ｇからく字状に折り曲げるようにする。
【００３９】
次いで、底面板２に対して各糊代板６を折り目ｄに沿って谷折りするとともに、左右の側面板３Ｌ，３Ｒに対して各折り込み片７をそれぞれ折り目ｅに沿って谷折りした後、各糊代板６の内面に接着剤を塗布し、糊代板６を左右の折り込み片７，７の外面に貼着することにより、図１に示すような容器ホルダー１を形成する。
【００４０】
この状態では、上方から見て、左右の内面板４Ｌ，４Ｒにそれぞれ形成された各容器支持穴４Ｌａ，４Ｒａによる略半円状の切欠が対向しており、また、図５に示すように、糊代板６および折り込み片７，７を無くした状態で正面から見たときに、左右の内面板４Ｌ，４Ｒが例えばく字状に折り曲げられて内向きに突出するようになっている。この左右の内面板４Ｌ，４Ｒの内向き突出部分の最突出端（頂点）位置が異なる高さに設定されている。
【００４１】
その一方で、前記したように底面板２に対して左右の側面板３Ｌ，３Ｒを折り目ａに沿って谷折りした際に、底面板２のコ字状切り込みｈが切り抜かれることになって、下向きの支持片３１および切り抜き孔３２が作られることになる（図４および図５参照）。なお、支持片３１は、左右の側面板３Ｌ，３Ｒの下端縁に一直線状に連続している。
【００４２】
さらに、前記したように左右の内面板４Ｌ，４Ｒの内面に左右の貼着片５Ｌ，５Ｒをそれぞれ貼着する際に、左右の貼着片５Ｌ，５Ｒのコ字状の突片５１を左右の切り抜き孔３２内に差し入れて左右の支持片３１に重ね合わせて接着するようにしている（図４および図５参照）。これにより、突片５１と支持片３１との重合体が容器ホルダー１の支持脚部８となり、図５に示すように、底面板２が床面から離隔した位置に浮上して支持されるようになる。
【００４３】
このようにして容器ホルダー１を組み立てると、図５に示すように、左内面板４Ｌの複数個の容器支持穴４Ｌａと右内面板４Ｒの複数個の容器支持穴４Ｒａとが対向する空間それぞれに順次容器Ｂを収容することができる。この場合、各容器Ｂの外周面の略左半部が左内面板４Ｌの容器支持穴４Ｌａの周縁部によって保持され、また、各容器Ｂの外周面の略右半部が右内面板４Ｒの容器支持穴４Ｒａの周縁部によって保持される。
【００４４】
容器ホルダー１に設定個数の容器Ｂが収容されると、図６に示すように、２個の容器ホルダー１を一組として別途組み立てられた輸送容器１０内に収納され、適宜輸送される。
【００４５】
以上説明したように、本発明を適用した実施形態では、容器Ｂの外周面の略左半部が左内面板４Ｌの容器支持穴４Ｌａの周縁部によって保持されるようになるとともに、容器Ｂの外周面の略右半部が右内面板４Ｒの容器支持穴４Ｒａの周縁部によって保持されるようになることに加えて、容器Ｂの外周面に対して左内面板４Ｌの内向き突出部分の最突出端（頂点）が接触する位置と右内面板４Ｒの内向き突出部分の最突出端（頂点）が接触する位置とが上下方向に離れるようになるために、容器ホルダー１の前後方向に意図しない外力が作用した場合に、容器Ｂが前後方向に回動して横倒れすることが防止されるようになる。つまり、この実施形態に係る容器ホルダー１では、容器Ｂを正立状態に確実に保持できるようになる。
【００４６】
この他、本願発明を適用した実施形態では、底面板２のコ字状切り込みｈから切り抜かれてなる支持片３１と左右の貼着片５Ｌ，５Ｒのコ字状の突片５１とを重ね合わせて接着することにより容器ホルダー１の底面板２を床面上に浮上支持するための支持脚部８を構成しているから、当該支持脚部８の強度が上記特許文献２のそれに比べて向上するようになる。
【００４７】
これにより、容器ホルダー１はその底面板２が床面上に浮上支持されたときにその姿勢が安定するようになる他、仮に、前記したように床面上に置いた容器ホルダー１を上から押さえつけたとしても、容器ホルダー１の支持脚部８が破損しにくくなる。
【００４８】
さらに、輸送容器１０に容器ホルダー１を収容する際などにおいて容器ホルダー１を誤って落としたとしても、支持脚部８が床面に接地することによって衝撃を吸収、緩和するようになるので、底面板２に前記衝撃が直接作用することがなくなる。このため、容器Ｂが前記衝撃によって破損することを可及的に防止できるようになる。
【００４９】
なお、本発明は、上記実施形態のみに限定されるものではなく、特許請求の範囲内および当該範囲と均等の範囲内で適宜に変更することが可能である。
【００５０】
上記実施形態では、左右の内面板４Ｌ，４Ｒにおける各内向き突出部分をく字状に折り曲げた例を挙げているが、本発明はこれのみに限定されるものではない。
【００５１】
例えば図７から図１１に本発明の他の実施形態を示している。この実施形態では、左右の内面板４Ｌ，４Ｒにおける各内向き突出部分が、部分円弧状（例えば半円状）に湾曲した形状にされており、この左右の内面板４Ｌ，４Ｒの内向き突出部分の最突出端（頂点）位置が同じ高さに設定されている。
【００５２】
そのようにするために、この実施形態では、左右の容器支持穴４Ｌａ，４Ｒａを図８に示すように平面視で楕円形（長軸が左右方向に配置）に形成していて、左右の内面板４Ｌ，４Ｒに図２に示しているような中間折り目ｆ，ｇを設けていない。この実施形態において、前記以外の構成ならびに形状は、図１から図６に示した実施形態と基本的に同じになっている。
【００５３】
この実施形態の場合、左右の内面板４Ｌ，４Ｒの容器支持穴４Ｌａ，４Ｒａ間に容器Ｂを収容したときに、各容器支持穴４Ｌａ，４Ｒａの周縁部に対する容器Ｂの接触長さが図１から図６に示す実施形態ならびに上記特許文献２のそれに比べて可及的に長くなる。
【００５４】
というのは、この実施形態のように左右の内面板４Ｌ，４Ｒを部分円弧状（例えば半円状）に湾曲している場合において左右の側面板３Ｌ，３Ｒから前記湾曲している部分の最突出端（頂点）位置までの張り出し寸法と、図１から図６に示す実施形態ならびに上記特許文献２のように左右の内面板における各内向き突出部分をく字状に折り曲げている場合において左右の側面板から前記各く字状部分の最突出端（頂点）位置までの張り出し寸法とを同一にすると、前記湾曲している部分の前記張り出し領域の沿面距離が、前記折り曲げている部分の前記張り出し領域の沿面距離に比べて長くなる。
【００５５】
このことから、この実施形態の場合、各容器支持穴４Ｌａ，４Ｒａの周縁部に対する容器Ｂの接触長さが、図１から図６に示す実施形態ならびに上記特許文献２のそれに比べて長くなることが明らかになる。
【００５６】
これにより、この実施形態では、容器ホルダー１による容器Ｂの保持力が図１から図６に示す実施形態ならびに上記特許文献２のそれに比べて向上することになるので、輸送時などにおいて、容器Ｂの横倒れを防止する効果が可及的に向上することになる。
【産業上の利用可能性】
【００５７】
本発明は、コートボールを打ち抜いて折り込むことによって製作されかつ例えばバイアルびんなどの容器を保持する容器ホルダーに好適に利用することが可能である。
【符号の説明】
【００５８】
１    容器ホルダー
２    底面板
３Ｌ  左側面板
３Ｒ  右側面板
３１  支持片
３２  切り抜き孔
４Ｌ  左内面板
４Ｌａ  容器支持穴
４Ｒ  右内面板
４Ｒａ  容器支持穴
５Ｌ  左貼着片
５Ｒ  右貼着片
５１  コ字状の突片
８    支持脚部
ａ，ｂ，ｃ，ｄ，ｅ    折り目
ｆ，ｇ    中間折り目
ｈ    コ字状切り込み
Ｂ    容器
【要約】
【課題】容器ホルダー１の底面板２が床面上に浮上支持されたときの姿勢を安定化するとともに、当該姿勢において容器ホルダー１が上から押さえつけられたときに支持脚部（３１，５１）の破損を抑制する。
【解決手段】左側面板３Ｌおよび右側面板３Ｒは、それぞれ底面板２に対して折り目ａから直交して上向きに立てられて平行に対向配置されている。左内面板４Ｌおよび右内面板４Ｒの前記各内向き突出部分には、それぞれ収容対象となる容器Ｂの外径に対応する複数個の容器支持穴４Ｌａ，４Ｒａが設けられている。底面板２のコ字状切り込みｈから切り抜かれてなる支持片３１と左右の貼着片５Ｌ，５Ｒのコ字状の突片５１とを重ね合わせて接着することにより容器ホルダー１の底面板２を床面上に浮上支持するための支持脚部８を構成している。
【選択図】図５【図１】
0006045732.tif 000002
【図２】
0006045732.tif 000003
【図３】
0006045732.tif 000004
【図４】
0006045732.tif 000005
【図５】
0006045732.tif 000006
【図６】
0006045732.tif 000007
【図７】
0006045732.tif 000008
【図８】
0006045732.tif 000009
【図９】
0006045732.tif 000010
【図１０】
0006045732.tif 000011
【図１１】
0006045732.tif 000012